(57)【要約】      （修正有）【課題】耐久性に優れ、組み立て性も良好なランドセルの背環を提供する。【解決手段】ランドセル本体の背当て部に取り付けられる基体２と、前記基体２に揺動自在に軸支され、上端部にランドセルの背負いベルトの一端側が連結される揺動アーム３と、前記揺動アーム３の外向きの揺動に反発する円柱状のゴム状弾性体４とを備えている。前記ゴム状弾性体４は前記揺動アーム３の揺動方向の外側面に曲面を向けて配置され、シリコーン系のゴムからなることが好ましい。【選択図】図１
0003203042.tif 000002
【実用新案登録請求の範囲】
【請求項１】
ランドセル本体の背当て部に取り付けられる基体と、
前記基体に揺動自在に軸支され、上端部にランドセルの背負いベルトの一端側が連結される揺動アームと、
前記揺動アームの外向きの揺動に反発する円柱状のゴム状弾性体とを備えていることを特徴とするランドセルの背環。
【請求項２】
前記ゴム状弾性体が、前記揺動アームの揺動方向の外側面に曲面を向けて配置されている請求項１記載のランドセルの背環。
【請求項３】
前記基体に、前記ゴム状弾性体を嵌め込むための嵌め込み部が形成されている請求項１又は２記載のランドセルの背環。
【請求項４】
前記嵌め込み部の内寸が、前記ゴム状弾性体の外寸よりも小である請求項３記載のランドセルの背環。
【請求項５】
前記ゴム状弾性体がシリコーン系のゴムからなる請求項１から４のいずれかに記載のランドセルの背環。
【考案の詳細な説明】
【技術分野】
【０００１】
本考案は、ランドセル本体に背負いベルトを連結するための背環に関する。
【背景技術】
【０００２】
図６及び図７に示すように、ランドセル本体１０の背当て部１０ａへの背負いベルト１１の取り付けは、背環１００を介して行われる。
【０００３】
背環１００は、ランドセル本体１０の背当て部１０ａに取り付けられる基体２と、基体２に揺動可能に取り付けられた左右一対の揺動アーム３、３と、揺動アーム３の上端部３ａに取り付けられ、背負いベルト１１の一端側が連結される取付環５とを備えている。なお、背環１００は、通常、カバー（図示せず）に覆われており揺動アーム３のみが外部に突出している。背負いベルト１１の他端側は、ランドセル本体１０の底部１０ｂに取り付けられた取付金具（図示せず）に連結される。
【先行技術文献】
【特許文献】
【０００４】
【特許文献１】実開平２−１４９５０９号公報
【特許文献２】特開２００２−２９１５１１号公報
【特許文献３】特開２００９−２８４０１号公報
【考案の概要】
【考案が解決しようとする課題】
【０００５】
ところで、特許文献１〜３の背環では、左右一対の揺動アームが、バネによって互いに近接する方向（内側）に向かって付勢されている。このアーム付勢用のバネは、板状または線状とされたバネ用鋼材をＶ字状やＵ字状に湾曲させてなる、いわゆる板バネないし線細工バネであって、材の弾性曲げにより反発するものであるため、繰返し応力を与えると比較的早い段階で寿命が来てしまう。
【０００６】
また、バネを伸縮させると、バネの端部が揺動アームの表面を擦るようにして移動するため、揺動アームが磨耗し作動不良を起こすこともある。
【０００７】
さらに、バネは、揺動アームが基本位置に戻った状態でなお付勢力を与え続けられるように（揺動アームががたつかないように）、ある程度圧縮変形させた状態で取り付けられるが、組み立てに失敗するとバネが弾け飛んでしまうなど、必ずしも組み立て性が良いとはいえなかった。
【０００８】
そこで、本考案は、耐久性に優れ、組み立て性も良好な背環の提供を目的とする。
【課題を解決するための手段】
【０００９】
この考案のランドセル用の背環は、ランドセル本体１０の背当て部１０ａに取り付けられる基体２と、前記基体２に揺動自在に軸支され、上端部にランドセルの背負いベルト１１の一端側が連結される揺動アーム３と、前記揺動アーム３の外向きの揺動に反発する円柱状のゴム状弾性体４とを備えていることを特徴とする。
なお、ここで「反発する」とは、ゴム状弾性体４が圧縮変形させられることで、揺動アーム３の揺動を許容しながらも、ゴム状弾性体４自身の元の形状に戻ろうとする復元性（弾性）により揺動アーム３を揺動前の元の位置に向かって付勢することを言う。
【００１０】
前記ゴム状弾性体４が、前記揺動アーム３の揺動方向の外側面に曲面を向けて配置されていることが好ましい。
【００１１】
前記基体２に、前記ゴム状弾性体４を嵌め込むための嵌め込み部２２ｊが形成されていることが好ましい。
【００１２】
前記嵌め込み部２２ｊの内寸が、前記ゴム状弾性体４の外寸よりも小であることが好ましい。
【００１３】
前記ゴム状弾性体４がシリコーン系のゴムからなることが好ましい。
【考案の効果】
【００１４】
本考案のランドセル用の背環は、揺動アームの揺動に反発するゴム状弾性体を備えていることから、板バネのように材の弾性曲げにより反発するものではなく耐久性に優れる。特に、ゴム状弾性体が円柱状であって隅角部が無いため、圧縮時における応力集中を避けることができ、長期に亘って安定した反発力を得られる。また、組み立てにあたって取り付ける方向を気にする必要がなく、さらに板バネのように弾け飛ぶこともないため、組み立てを簡単且つ迅速に行うことができる。
【００１５】
また、ゴム状弾性体が、揺動アームの揺動方向の外側面に曲面を向けて配置されていれば、揺動アームの揺動により変形させられたゴム状弾性体が元の形状に戻りやすく、安定した反発力を得られる。
【００１６】
さらに、基体に、ゴム状弾性体を嵌め込むための嵌め込み部が形成されていれば、ゴム状弾性体の基体への取り付けが簡単になり、組み立て性も向上する。
【００１７】
特に、嵌め込み部の内寸が、ゴム状弾性体の外寸よりも小であれば、ゴム状弾性体を嵌め込むと、自身の反発力によって嵌め込み部内に留まることになるため、別途、ゴム状弾性体を手などで押さえておく必要は無く、組み立て性がさらに向上する。
【００１８】
また、ゴム状弾性体がシリコーン系のゴムからなれば、耐候性に優れており、長期に亘って安定して反発力を発揮することができる。
【図面の簡単な説明】
【００１９】
【図１】この考案の一実施形態に係るランドセルの背環を示す分解斜視図である。
【図２】基板の内面側を示す平面図である。
【図３】蓋材の内面側を示す平面図である。
【図４】揺動アームを示し、（ａ）は正面図、（ｂ）は側面図である。
【図５】揺動アームの揺動状態を示す正面図である。
【図６】背環の取り付け状態を示す正面図である。
【図７】ランドセルの全形を示す斜視図である。
【考案を実施するための形態】
【００２０】
以下、この考案の実施形態を図面に基づいて詳細に説明する。図１は、この考案の一実施形態に係るランドセルの背環１を示している。この背環１は、ランドセル本体の背当て部１０ａ（図６ａ参照）に取り付けられる基体２と、基体２に揺動自在に軸支され、上端部に背負いベルト１１の一端側が連結された左右一対の揺動アーム３、３と、揺動アーム３の揺動に反発するゴム状弾性体４とを備えている。なお、揺動アーム３の上端部と背負いベルト１１の一端側とは、取付環５を介して連結されている。
【００２１】
基体２は、ランドセル本体１０の背当て部１０ａ側に位置する基板２１と、基板２１を覆う蓋材２２とから構成されている。
【００２２】
基板２１は平板状であって、図１及び図２に示すように、その形状は左右対称である。基板２１の中心から最も近い部分には三角形状の突起２１ａが設けられている。これは、揺動アーム３が内側（一対の揺動アーム３、３が互いに近接する方向）に行き過ぎるのを規制する規制部である。また、突起２１ａに隣接して、揺動アーム３を矢印方向に揺動可能に軸支するための軸部２１ｂが設けられている。軸部２１ｂの中心には、後述する蓋材２２の嵌合突起２２ｃを嵌合可能な孔２１ｃが設けられている。また、中央部及び両端部にそれぞれネジ孔２１ｄ、２１ｅ、２１ｆが設けられている。なお、その他の孔は肉抜き孔である。
【００２３】
蓋材２２は、図１及び図３に示すように、縁部が立ち上がった平板状であって、その形状は基板２１に対応して左右対称とされている。縁部の立ち上がり２２ａは、基板２１の軸部２１ｂに軸支された揺動アーム３を外方（ランドセル本体１０の背当て部１０ａに取り付けた状態において上方）に突出させるため、揺動アーム３の可動域には設けられていない。そのため、基板２１と蓋材２２とを組み合わせると、基体２にはその上方にスリット状の開口が形成されることになる。また、上方の立ち上がり２２ａには、吊り下げ環６（図６参照）を突出させるための切欠２２ｂが設けられている。なお、左右及び下方の立ち上がり２２ａは互いに連続している。また、蓋材２２には、上記の通り、基板２１の軸部２１ｂに設けられた孔２１ｃに挿入、嵌合するための嵌合突起２２ｃが設けられている。また、中央部及び両端部には、基板２１と重ね合わせたときに、基板２１のネジ孔２１ｄ、２１ｅ、２１ｆと対向する箇所にそれぞれネジ孔２２ｄ、２２ｅ、２２ｆが設けられている。
【００２４】
ところで、両端部に設けられたネジ孔２２ｅ、２２ｆの周囲は立ち上がっている（円柱状となっている）。また、上方のネジ孔２２ｅの周囲に設けられた立ち上がり２２ｇの下側及び、下方のネジ孔２２ｆの周囲に設けられた立ち上がり２２ｈの上側には、それぞれ円弧状の切欠２２ｉ、２２ｊが設けられている。そして、上下のネジ孔２２ｅ、２２ｆの周囲に設けられた立ち上がり２２ｇ、２２ｈと、その間に位置する縁部の立ち上がり２２ａとで、ゴム状弾性体４を嵌め込む嵌め込み部２２ｋが形成されている。この嵌め込み部２２ｋの内寸は、ゴム状弾性体４の外寸（直径）よりも僅か（例えば０．５〜１ｍｍ程度）に小とされており、嵌め込まれたゴム状弾性体４が反発することで自ずと固定されるようになっている。なお、上方のネジ孔２２ｅの周囲に設けられた立ち上がりにも半円状の切欠２２ｌが設けられているが、これは、揺動アーム３との干渉を避けるためのものである（図５参照）。
【００２５】
揺動アーム３は、図４に示すように、取付環５の端部５ａ、５ａを挿入するための取付筒３ｂと、取付筒３ｂから下方に延び、取付筒３ｂを基板２１の軸部２１ｂに揺動自在に軸支するための軸孔３ｃとを有している。取付筒３ｂは内側に金属パイプ３ｄが埋設されており、耐摩耗性の向上を図っている。また、基体２に取り付けた状態において、基体２の中心側を向く側面に、基板２１の突起２１ａに対向する第１傾斜面３ｅが設けられ、基体２の端部側を向く側面に、ゴム状弾性体４に対向する第２傾斜面３ｆが設けられている。
【００２６】
ゴム状弾性体４は、図１に示すように円柱状であって、その厚み（軸方向の高さ）は、縁部の立ち上がり２２ａよりも薄い。また、揺動アーム３の揺動方向の外側面（後述する第２傾斜面３ｆ）に曲面（円柱の側面５ａ）を向けるようにして配置される。ゴム状弾性体４の材質としては、例えばシリコーン系ゴム、ウレタン系ゴム、ポリオレフィン系ゴム、エラストマー等の合成ゴムの使用や天然ゴムが可能であるが、耐候性に優れるシリコー
ン系ゴムを用いることが好ましい。
【００２７】
取付環５は、図１に示すように、金属線を台形状に折り曲げて成形したものである。線材の両端部５ａ、５ａ間には、取付筒３ｂの軸方向長さよりも狭い程度の間隔が設けられており、これら両端部５ａ、５ａを取付筒３ｂの金属パイプ３ｄに挿入することで、揺動アーム３に取り付けられている。なお、取付環５は揺動アーム３に対して回転が拘束された状態で取り付けられることが好ましいが、端部を回転軸として回転可能に取り付けても良い。
【００２８】
上記構成の背環１は、図５ａ、ｂに示すように、揺動アーム３を外側（一対の揺動アーム３、３が互いに離間する方向）に揺動させると、第２傾斜面３ｆとゴム状弾性体４とが当接し、ゴム状弾性体４を押圧する。ゴム状弾性体４は、各立ち上がり２２ａ、２２ｇ、２２ｈによって面内方向の移動が規制されるが、基板２１と蓋材２２との間に生じる隙間によって面外方向の移動がある程度許容されるため、平面視形状を変えながら軸方向（厚み方向）にも膨らむようにして変形することで揺動アーム３の揺動を許容する。この際、各立ち上がり２２ａ、２２ｇ、２２ｈとゴム状弾性体４との間に形成されている隙間７が退避部となって、変形を促進することになる。
【００２９】
揺動アーム３の揺動によって圧縮変形させられたゴム状弾性体４は、元の形状に戻ろうとする復元力（反発力）によって、揺動アーム３を内側に付勢する。従って、揺動アーム３への外向きの負荷を無くせば、揺動アーム３は内側に向かって移動し、第１傾斜面３ｅを基板２１の規制部２１ａに当接させるようにして基本位置に戻る。
【００３０】
このように、本考案の背環１では、揺動アーム３を付勢するにあたって、金属製の板バネではなくゴム状弾性体４を用いていることから、耐久性に優れた背環とすることができる。特に、板バネのように曲げによって揺動アーム３の揺動を許容しているのではなく、自身の圧縮変形によって揺動を許容しているため、疲労破壊が生じ難い。例えば金属製の板バネを用いた場合、１〜２万回の揺動で破断が生じるが、シリコーン系のゴムの場合、１０万回の揺動にも耐えることを確認している。また、嵌め込み部２２ｊの上下に近接してネジ孔２１ｅ、２１ｆ、２２ｅ、２２ｆが設けられているため、背環１をランドセル本体１０の背当て部１０ａにネジ止めすれば、基板２１と蓋材２２とでしっかりとゴム状弾性体４を支持することができ、ゴム状弾性体４が面外方向（軸方向）に過度に膨らむこともなく、安定した付勢力を得られる。
【００３１】
以上に、この考案の代表的な実施形態について説明したが、この考案は上記実施形態に限定されるものではなく、この考案の範囲内で種々変更して実施することが可能である。
【００３２】
例えば、上記実施形態では、円柱状のゴム状弾性体４を用いていたが、これに限らず楕円柱状や角柱状など種々の形状を採用しても良いし、軸方向を揺動方向に向けるようにしても良い。このように形状や配置を変化させることでバネ係数を容易に調整することができる。また、蓋材２２に立ち上がり２２ａ、２２ｇ、２２ｈや嵌め込み部２２ｊが設けられていたが、基板２１に設けるようにしても良い。また、揺動アーム３への背負いベルト１１の連結については、取付環５を介さず、揺動アーム３の上端にベルト連結部を一体的に設けて、直接連結しても良い。
【符号の説明】
【００３３】
１・・ランドセルの背環
２・・基体
２１・・基板
２１ａ・・突起
２１ｂ・・軸部
２１ｃ・・孔
２１ｄ・・ネジ孔（中央部）
２１ｅ・・ネジ孔（端部上方）
２１ｆ・・ネジ孔（端部下方）
２２・・蓋材
２２ａ・・縁部の立ち上がり
２２ｂ・・切欠
２２ｃ・・嵌合突起
２２ｄ・・ネジ孔（中央部）
２２ｅ・・ネジ孔（端部上方）
２２ｆ・・ネジ孔（端部下方）
２２ｇ・・上方のネジ孔の周囲に設けられた立ち上がり
２２ｈ・・下方のネジ孔の周囲に設けられた立ち上がり
２２ｉ・・切欠（上側）
２２ｊ・・切欠（下側）
２２ｋ・・嵌め込み部
２２ｌ・・切欠
３・・揺動アーム
３ａ・・上端部
３ｂ・・取付筒
３ｃ・・軸孔
３ｄ・・金属パイプ
３ｅ・・第１傾斜面
３ｆ・・第２傾斜面
４・・ゴム状弾性体
４ａ・・側面
５・・取付環
５ａ・・端部
６・・吊り下げ環
７・・隙間
１０・・ランドセル本体
１０ａ・・背当て部
１０ｂ・・底部
１１・・背負いベルト
【図１】
0003203042.tif 000003
【図２】
0003203042.tif 000004
【図３】
0003203042.tif 000005
【図４】
0003203042.tif 000006
【図５】
0003203042.tif 000007
【図６】
0003203042.tif 000008
【図７】
0003203042.tif 000009